(57)【要約】【課題】ＢＤ、およびＨＤ  ＤＶＤの記録または再生を行う互換型の光ピックアップを回折型の光回折手段を用いて構成する場合に、その回折効率によって、半導体レーザである光源の信頼性が低くなる。【解決手段】記録や再生を行う光ディスクの反射率の違いを考慮し、半導体レーザの信頼性に影響を与えない程度の光源の出射光量を規定する。その光量に合わせた光ピックアップの光学構成を提案する。【選択図】図４
2008217882.tif 000002
【特許請求の範囲】
【請求項１】
光源と、前記光源から出射されたレーザ光を回折させ、それぞれ異なる回折次数の回折光を、第１の基材厚みｔ１を持つ第１の情報記録媒体の情報記録面と、第２の基材厚みｔ２を持つ第２の情報記録媒体の情報記録面にそれぞれ集光する集光レンズ系とを備え、前記基材厚みの関係がｔ１＜ｔ２であって、かつ、前記第１の情報記録媒体を再生している時に前記光源から出射される光量の方が、前記第２の情報記録媒体を再生している時に前記光源から出射される光量よりも小さいことを特徴とする光ピックアップ。
【請求項２】
光源と、前記光源から出射されたレーザ光を回折させ、それぞれ異なる回折次数の回折光を、第１情報記録媒体の情報記録面と、第２の情報記録媒体の情報記録面にそれぞれ集光する集光レンズ系とを備え、前記集光レンズ系によって前記第１の情報記録媒体に集光する回折次数の回折効率がｘ、前記第２の情報記録媒体に集光する回折次数の回折効率がｙとしたとき、前記回折次数の関係がｘ＞ｙであって、かつ、前記第１の情報記録媒体を再生している時に前記光源から出射される光量の方が、前記第２の情報記録媒体を再生している時に前記光源から出射される光量よりも小さいことを特徴とする光ピックアップ。
【請求項３】
光源と、前記光源から出射されたレーザ光を回折させ、それぞれ異なる回折次数の回折光を、第１情報記録媒体の情報記録面と、第２の情報記録媒体の情報記録面にそれぞれ集光する集光レンズ系とを備え、前記集光レンズ系によって前記第１の情報記録媒体に集光する回折次数がａ、前記第２の情報記録媒体に集光する回折次数がｂとしたとき、前記回折次数の関係がａ＜ｂであって、かつ、前記第１の情報記録媒体を再生している時に前記光源から出射される光量の方が、前記第２の情報記録媒体を再生している時に前記光源から出射される光量よりも小さいことを特徴とする光ピックアップ。
【請求項４】
光源と、前記光源から出射されたレーザ光を回折させ、それぞれ異なる回折次数の回折光を、第１の記録密度ｄ１を持つ第１の情報記録媒体の情報記録面と、第２の記録密度ｄ２を持つ第２の情報記録媒体の情報記録面にそれぞれ集光する集光レンズとを備え、前記記録密度の関係がｄ１＞ｄ２であって、かつ、前記第１の情報記録媒体を再生している時に前記光源から出射される光量の方が、前記第２の情報記録媒体を再生している時に前記光源から出射される光量よりも小さいことを特徴とする光ピックアップ。
【請求項５】
請求項１から請求項４いずれか記載の光ピックアップであって、前記集光レンズ系は一対の回折レンズと屈折レンズからなることを特徴とする光ピックアップ。
【請求項６】
請求項１から請求項４いずれか記載の光ピックアップであって、前記集光レンズ系は回折格子一体型対物レンズであることを特徴とする光ピックアップ。
【請求項７】
請求項５または請求項６いずれか記載の光ピックアップであって、前記第１の情報記録媒体の再生時には、前記光源から出射される前記レーザ光に高周波を重畳するための回路を動作させ、前記第２の情報記録媒体の再生時には、前記光源から出射される前記レーザ光に高周波を重畳するための回路の動作を止めることを特徴とする光ピックアップ。
【請求項８】
請求項５または請求項６いずれか記載の光ピックアップであって、前記光源は波長が略３９０ｎｍから４２０ｎｍである半導体レーザであり、前記第１の情報記録媒体は基材厚みが０．１１ｍｍ以下で前記情報記録面に開口数が０．８以上で光束が集光され、前記第２の情報記録媒体は基材厚みが略０．５ｍｍから０．７ｍｍの間で前記情報記録面に開口数が０．６以上で光束が集光されることを特徴とする光ピックアップ。
【請求項９】
請求項５または請求項６いずれか記載の光ピックアップであって、前記第１の情報記録媒体には記録または再生を行い、前記第２の情報記録媒体には再生のみを行うことを特徴とする光ピックアップ。
【請求項１０】
請求項５または請求項６いずれか記載の光ピックアップであって、前記第１の情報記録媒体は再生のみを行い、前記第２の情報記録媒体も再生のみを行うことを特徴とする光ピックアップ。
【請求項１１】
光ピックアップと情報記録媒体を回転駆動するためのモータと、前記光ピックアップと前記モータを制御する制御部を備えた光ディスク装置であって、前記光ピックアップが請求項１から請求項１０のいずれか一つに規定される光ピックアップであることを特徴とする光ディスク装置。
【請求項１２】
請求項１１に規定される光ディスク装置と、情報を入力するための入力手段と、前記光ディスク装置から再生された情報および／または前記入力手段から入力された情報に基づいて演算を行う演算手段と、前記光ディスク装置から再生された情報および／または前記入力手段から入力された情報および／または前記演算手段によって演算された結果を出力するための出力手段を備えたコンピュータ。
【請求項１３】
請求項１１に規定される光ディスク装置と、前記光ディスク装置から得られる情報信号を画像情報に変換するデコーダを備えた光ディスクプレーヤ。
【請求項１４】
請求項１１に規定される光ディスク装置と、画像情報を前記光ディスク装置によって記録するための情報信号に変換するエンコーダを備えた光ディスクレコーダ。
【発明の詳細な説明】
【技術分野】
【０００１】
本発明は、複数種類の光ディスク等の情報記録媒体に対して、光学的に情報の記録または再生を行う光ピックアップおよび光ピックアップを具備した光ディスク装置と、この光ディスク装置を具備したコンピュータ、光ディスクプレーヤ、光ディスクレコーダに関するものである。
【背景技術】
【０００２】
近年、青紫半導体レーザの実用化に伴い、ＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｃ）と同じ大きさで、高密度・大容量の光情報記録媒体（以下、光ディスクともいう）であるＢｒｕ−ｒａｙ  Ｄｉｓｃ（以下、ＢＤ）が実用化されている。このＢＤは、波長４００ｎｍ程度の青紫レーザ光源と、開口数（Ｎｕｍｅｒｉｃａｌ  Ａｐｅｒｔｕｒｅ、ＮＡ）を０．８５まで高めた対物レンズを用いて記録または再生を行う、保護基板厚約０．１ｍｍの光ディスクである。
【０００３】
一方、同じく波長４００ｎｍ程度の青紫レーザ光源と、開口数０．６５の対物レンズを用いた、保護基板厚０．６ｍｍのＨＤ  ＤＶＤも実用化されている。
【０００４】
そこで以上のような、それぞれ保護基板厚が異なる光ディスクの情報記録面に対し、レーザ光を一つの対物レンズを用いて集光させて情報の記録または再生を行う、互換性を有する光ピックアップが提案されている。
【０００５】
異なる保護基板厚の光ディスク上に、回折限界までレーザ光を集光することのできる集光光学系を備えた光ピックアップが、特許文献１および特許文献２に示されている。
【０００６】
特許文献１に示されている従来の光ピックアップの構成例を図１５に示す。図１５において、１０１は赤色レーザ光を出射する光源、１０３はビームスプリッタ、１０４はコリメートレンズ、１０５は回折レンズ、１０６は対物レンズ、１０８は検出レンズ、１０９は受光素子であり、これらが光ピックアップ１３０を構成している。また、７０は保護基板厚０．６ｍｍの光ディスクであるＤＶＤである。
【０００７】
ＤＶＤ７０に対して、情報の記録または再生を行う光ピックアップ１３０の動作について述べる。光源１０１から出射された赤色レーザ光は、ビームスプリッタ１０３を透過し、コリメートレンズ１０４で略平行光に変換され、回折レンズ１０５を透過し、対物レンズ１０６によって、保護基板越しにＤＶＤ７０の情報記録面に光スポットとして集光される。ＤＶＤ７０の情報記録面で反射した復路の赤色レーザ光は、往路と同じ光路で対物レンズ１０６、回折レンズ１０５、コリメートレンズ１０４を透過し、ビームスプリッタ１０３で反射され、検出レンズ１０８で所定の非点収差を与えられて、受光素子１０９に導かれ、情報信号およびサーボ信号を生成する。
【０００８】
次に図１６を用いて、保護基板厚１．２ｍｍの光ディスクであるＣＤ８０の記録または再生を行う場合の光ピックアップ１３０の動作について述べる。光源１０１から出射された赤色レーザ光は、ビームスプリッタ１０３を透過し、コリメートレンズ１０４で略平行光に変換され、回折レンズ１０５で回折された後、対物レンズ１０６によって、保護基板越しにＣＤ８０の情報記録面に光スポットとして集光される。ＣＤ８０の情報記録面で反射した復路の赤色レーザ光は、往路と同じ光路で対物レンズ１０６、ホログラム１０５、コリメートレンズ１０４を通過し、ビームスプリッタ１０３で反射され、検出レンズ１０８で所定の非点収差を与えられて、受光素子１０９に導かれ、情報信号およびサーボ信号を生成する。
【０００９】
ＤＶＤ７０およびＣＤ８０を記録または再生するためのフォーカス誤差信号は、検出レンズ１０８によって非点収差を与えられた集光スポットを受光素子１０９内の４分割受光パターンで検出する、いわゆる非点収差法等を用いることが可能である。またトラッキング誤差信号は、回折格子（図示せず）によって生成されたメインビームとサブビームを用いた、いわゆる３ビーム法や差動プッシュプル法（ＤＰＰ法）等を用いることが可能である。
【００１０】
次に回折レンズ１０５と対物レンズ１０６の機能について、図１７〜図１８を用いて詳細に説明する。
【００１１】
回折レンズ１０５には、ＤＶＤ７０およびＣＤ８０に対して、それぞれ微小な光スポットとして集光するため、図１７に示すような格子パターン１０５ａを備えている。回折レンズ１０５の＋１次回折光の回折効率は１００％未満であり、透過光（以下、０次回折光とも言い、透過光も回折光の一つであるとする）も充分な強度を有するように設計されている。なお、回折レンズ１０５はブレーズ化することによって、０次回折光と＋１次回折光の光量和を大きくすることができ、光の利用効率を高くできる。
【００１２】
対物レンズ１０６は、開口数ＮＡが０．６で、図１８（Ａ）に示すように、回折レンズ１０５を回折されずに透過したレーザ光（すなわち０次回折光）が入射したときに、保護基板厚０．６ｍｍのＤＶＤ７０上に回折限界の集光スポットを形成できるよう設計されている。
【００１３】
一方、図１８（Ｂ）に示すように、回折レンズ１０５で回折された＋１次回折光は対物レンズ１０６によってＣＤ８０上に集光される。ここで＋１次回折光は保護基板厚１．２ｍｍのＣＤ８０上に回折限界の集光スポットを形成できるよう収差補正を施されている。
【００１４】
このように入射光の一部を回折する回折レンズ１０５と対物レンズ１０６を組み合わせることによって異なる基板厚の光ディスク上にそれぞれ回折限界にまで集光される集光スポットを形成することができる２焦点レンズを実現できる。
【００１５】
なお、回折レンズ１０５はレンズ作用を有するので２つの焦点の光軸方向の位置は異なっている。従って、一方の焦点に形成された光スポットを用いて情報の記録または再生をしているとき、他方の焦点に形成された光スポットは大きく広がり、情報の記録または再生に影響を与えない。
【００１６】
以上、このような光ピックアップ１３０を用いることで、それぞれ異なる種類の光ディスクに対して、一つの対物レンズを用いて情報の記録または再生を行うことができる。
【特許文献１】特開平７−９８４３１号公報
【特許文献２】特開平１０−１０３０８号公報
【発明の開示】
【発明が解決しようとする課題】
【００１７】
特許文献１および特許文献２には、ホログラムを用いた２焦点レンズを用いて、例えばＤＶＤとＣＤのような、保護基板厚の異なる複数種類の光ディスクに対して互換可能は光ピックアップの構成が示されている。
【００１８】
しかしながら、これらの従来例では、光源から出射される光量が明確に定義されていない。例えば光ディスクの記録時には、再生時に比べ数十倍の記録面上の光量が必要であることは一般に知られているが、従来例において回折効率が１００％未満であるということは、光ディスクの記録再生品質を効率が１００％の時と同等に保つためには、その回折効率の落ちた分を光源の光量増加で補わなければならず、半導体レーザに負担がかかる。
【００１９】
本発明では、光源の出射光量に着目し、使用する光ディスクの反射率や、その光ディスクへ記録するか、または光ディスクから再生するか、といった使用目的に応じた光ピックアップの構成を提案し、ＣＤやＤＶＤより高密度な、ＢＤやＨＤ  ＤＶＤに対応させる場合に、光ピックアップの重要素子である半導体レーザへの負担を減らして、その信頼性を向上させることを目的とする。
【課題を解決するための手段】
【００２０】
光ピックアップであって、光源と、前記光源から出射されたレーザ光を回折させ、それぞれ異なる回折次数の回折光を、第１の基材厚みｔ１を持つ第１の情報記録媒体の情報記録面と、第２の基材厚みｔ２を持つ第２の情報記録媒体の情報記録面にそれぞれ集光する集光レンズ系とを備え、前記基材厚みの関係がｔ１＜ｔ２であって、かつ、前記第１の情報記録媒体を再生している時に前記光源から出射される光量の方が、前記第２の情報記録媒体を再生している時に前記光源から出射される光量よりも小さいことを特徴とする光ピックアップ。
【００２１】
光ピックアップであって、光源と、前記光源から出射されたレーザ光を回折させ、それぞれ異なる回折次数の回折光を、第１情報記録媒体の情報記録面と、第２の情報記録媒体の情報記録面にそれぞれ集光する集光レンズ系とを備え、前記集光レンズ系によって前記第１の情報記録媒体に集光する回折次数の回折効率がｘ、前記第２の情報記録媒体に集光する回折次数の回折効率がｙとしたとき、前記回折次数の関係がｘ＞ｙであって、かつ、前記第１の情報記録媒体を再生している時に前記光源から出射される光量の方が、前記第２の情報記録媒体を再生している時に前記光源から出射される光量よりも小さいことを特徴とする光ピックアップ。
【００２２】
光ピックアップであって、光源と、前記光源から出射されたレーザ光を回折させ、それぞれ異なる回折次数の回折光を、第１情報記録媒体の情報記録面と、第２の情報記録媒体の情報記録面にそれぞれ集光する集光レンズ系とを備え、前記集光レンズ系によって前記第１の情報記録媒体に集光する回折次数がａ、前記第２の情報記録媒体に集光する回折次数がｂとしたとき、前記回折次数の関係がａ＜ｂであって、かつ、前記第１の情報記録媒体を再生している時に前記光源から出射される光量の方が、前記第２の情報記録媒体を再生している時に前記光源から出射される光量よりも小さいことを特徴とする光ピックアップ。
【００２３】
光ピックアップであって、光源と、前記光源から出射されたレーザ光を回折させ、それぞれ異なる回折次数の回折光を、第１の記録密度ｄ１を持つ第１の情報記録媒体の情報記録面と、第２の記録密度ｄ２を持つ第２の情報記録媒体の情報記録面にそれぞれ集光する集光レンズとを備え、前記記録密度の関係がｄ１＞ｄ２であって、かつ、前記第１の情報記録媒体を再生している時に前記光源から出射される光量の方が、前記第２の情報記録媒体を再生している時に前記光源から出射される光量よりも小さいことを特徴とする光ピックアップ。
【００２４】
請求項１から請求項４いずれか記載の光ピックアップであって、前記集光レンズ系は一対の回折レンズと屈折レンズからなることを特徴とする光ピックアップ。
【００２５】
請求項１から請求項４いずれか記載の光ピックアップであって、前記集光レンズ系は回折格子一体型対物レンズであることを特徴とする光ピックアップ。
【００２６】
請求項５または請求項６いずれか記載の光ピックアップであって、前記第２の情報記録媒体の再生時には、前記光源から出射される前記レーザ光に高周波を重畳するための回路の動作を止めることを特徴とする光ピックアップ。
【００２７】
請求項５または請求項６いずれか記載の光ピックアップであって、前記光源は波長が略３９０ｎｍから４２０ｎｍである半導体レーザであり、前記第１の情報記録媒体は基材厚みが略０．１ｍｍで前記情報記録面に開口数が０．８以上で光束が集光され、前記第２の情報記録媒体は基材厚みが略０．６ｍｍで前記情報記録面に開口数が０．６以上で光束が集光されることを特徴とする光ピックアップ。
【００２８】
請求項５または請求項６いずれか記載の光ピックアップであって、前記第１の情報記録媒体には記録または再生を行い、前記第２の情報記録媒体には再生のみを行うことを特徴とする光ピックアップ。
【００２９】
請求項５または請求項６いずれか記載の光ピックアップであって、前記第１の情報記録媒体は再生のみを行い、前記第２の情報記録媒体も再生のみを行うことを特徴とする光ピックアップ。
【００３０】
光ディスク装置であって、光ピックアップと情報記録媒体を回転駆動するためのモータと、前記光ピックアップと前記モータを制御する制御部を備えた光ディスク装置であって、前記光ピックアップが請求項１から請求項１０のいずれか一つに規定される光ピックアップであることを特徴とする光ディスク装置。
【００３１】
コンピュータであって、請求項１１に規定される光ディスク装置と、情報を入力するための入力手段と、前記光ディスク装置から再生された情報および／または前記入力手段から入力された情報に基づいて演算を行う演算手段と、前記光ディスク装置から再生された情報および／または前記入力手段から入力された情報および／または前記演算手段によって演算された結果を出力するための出力手段を備えたコンピュータ。
【００３２】
光ディスクプレーヤであって、請求項１１に規定される光ディスク装置と、前記光ディスク装置から得られる情報信号を画像情報に変換するデコーダを備えた光ディスクプレーヤ。
【００３３】
光ディスクレコーダであって、請求項１１に規定される光ディスク装置と、画像情報を前記光ディスク装置によって記録するための情報信号に変換するエンコーダを備えた光ディスクレコーダ。
【発明の効果】
【００３４】
本発明では、光源の出射光量に着目し、使用する光ディスクの反射率や、その光ディスクへ記録するか、または光ディスクから再生するか、といった使用目的に応じた光ピックアップの構成を提案し、ＣＤやＤＶＤより高密度な、ＢＤやＨＤ  ＤＶＤに対応させる場合に、光ピックアップの重要素子である半導体レーザへの負担を減らして、その信頼性を向上させることができる。
【発明を実施するための最良の形態】
【００３５】
以下、本発明の光ピックアップおよび光ディスク装置、コンピュータ、光ディスクプレーヤ、光ディスクレコーダの実施の形態について、図面を参照しながら説明する。
【００３６】
（実施の形態１）
図１および図２は本発明の一実施の形態における光ピックアップの概略構成図である。図１および図２において、１は青紫レーザ光を出射する光源、３はビームスプリッタ、４はコリメートレンズ、５は回折レンズ、６は対物レンズ（屈折レンズ）、８は検出レンズ、９はレーザ光を受光する光検出器であり、これらが光ピックアップ３０を構成している。また、５０は保護基板厚が略０．１ｍｍ（０．１１ｍｍ以下、代表として０．１ｍｍとする）の光ディスクである高密度ディスクＡであり、６０は保護基板厚０．６ｍｍ（０．５ｍｍ〜０．７ｍｍ、代表として０．６ｍｍとする）の光ディスクである高密度ディスクＢである。一般に、情報の記録密度は高密度ディスクＡ５０の方が高密度ディスクＢ６０よりも高い。
【００３７】
始めに図１を用いて、高密度ディスクＡ５０に対して、情報の記録または再生を行う光ピックアップ３０の動作について述べる。光源１から出射された青紫レーザ光は、ビームスプリッタ３を透過し、コリメートレンズ４で略平行光に変換され、回折レンズ５を透過し、対物レンズ６によって、保護基板越しに高密度ディスクＡ５０の情報記録面に光スポットとして集光される。高密度ディスクＡ５０の情報記録面で反射した復路の青紫レーザ光は、往路と同じ光路で対物レンズ６、回折レンズ５、コリメートレンズ４を透過し、ビームスプリッタ３で反射され、検出レンズ８で所定の非点収差を与えられて、光検出器９に導かれ、情報信号およびサーボ信号を生成する。なお便宜上、光源１から光ディスク５０または６０の記録面に到達するまでの光路を往路光学系、光ディスク５０または６０の記録面で反射した光が、光検出器９に到達するまでの光路を復路光学系と呼ぶ。
【００３８】
次に図２を用いて、高密度ディスクＢ６０に対して、情報の記録または再生を行う場合の光ピックアップ３０の動作について述べる。光源１から出射された青紫レーザ光は、ビームスプリッタ３を透過し、コリメートレンズ４で略平行光に変換され、回折レンズ５で回折された後、対物レンズ６によって、保護基板越しに高密度ディスクＢ６０の情報記録面に光スポットとして集光される。高密度ディスクＢ６０の情報記録面で反射した復路の青紫レーザ光は、往路と同じ光路で対物レンズ６、ホログラム５、コリメートレンズ４を通過し、ビームスプリッタ３で反射され、検出レンズで所定の非点収差を与えられて、光検出器９に導かれ、情報信号およびサーボ信号を生成する。
【００３９】
高密度ディスクＡ５０および高密度ディスクＢ６０を記録または再生するためのフォーカス誤差信号は、検出レンズ８によって非点収差を与えられた集光スポットを光検出器９内の４分割受光パターンで検出する、いわゆる非点収差法等を用いることが可能である。またトラッキング誤差信号は、回折格子（図示せず）によって生成されたメインビームとサブビームを用いた、いわゆる３ビーム法や差動プッシュプル法（ＤＰＰ法）等を用いることが可能である。
【００４０】
次に、回折レンズ５と対物レンズ６の機能について、図３〜図４を用いて詳細に説明する。回折レンズ５は、同心円状の格子パターン５ａが形成されており、その中心すなわち光軸は対物レンズ６と組立誤差内で一致している。また、回折レンズ５の格子パターンは対物レンズ６によって決まる開口よりも小さな径の中にだけ形成されている。従って回折レンズ５の格子パターンの形成されていない部分では回折が全く起こらない。
【００４１】
なお、格子パターン５ａの０次回折光（透過光）の位相は格子パターン５ａによって与えられる位相変調量の平均値となる。これに対して、格子パターンのない領域５ｂの透過光の位相を同じぐらいに合わせることによって集光性能を向上させることが望ましい。例えば、回折レンズ５ａの格子パターンをレリーフ型にする場合は、図３に示すように、格子パターン５ａ部の凹凸の平均ぐらいのレベルに格子パターンのない領域５ｂの表面の高さを合わせることが望ましい。
【００４２】
回折レンズ５の＋１次回折光の回折効率は１００％未満であり、透過光（０次回折光）も充分な強度を有するように設計されている。なお、回折レンズ５はブレーズ化することによって、０次回折光と＋１次回折光の光量和を大きくすることができ、光の利用効率を高くできる。
【００４３】
対物レンズ６は、開口数ＮＡが０．８５で、図４（Ａ）に示すように、回折レンズ５を回折されずに透過したレーザ光（すなわち０次回折光）が入射したときに、保護基板厚約０．１ｍｍの高密度ディスクＡ５０上に回折限界の集光スポットを形成できるよう設計されている。一方、図４（Ｂ）に示すように、回折レンズ５で回折された＋１次回折光は対物レンズ６によって高密度ディスクＢ６０上に集光される。ここで＋１次回折光は保護基板厚０．６ｍｍの高密度ディスクＢ６０上に回折限界の集光スポットを形成できるよう収差補正を施されている。このように入射光の一部を回折する回折レンズ５と対物レンズ６を組み合わせることによって異なる基板厚の光ディスク上にそれぞれ回折限界にまで集光される集光スポットを形成することができる２焦点レンズを実現できる。
【００４４】
ここで、高密度ディスクＢ６０に対しては再生のみを行い、高密度ディスクＡ５０に対しては記録および再生が可能な光ピックアップとして回折レンズ５を用いる場合は、高密度ディスクＡ５０を再生しているときよりも、高密度ディスクＢ６０を再生している時の方が、光源１から出射される光出力が大きい方が望ましい。このような構成とすると、回折レンズ５の＋１次回折効率よりも、０次回折効率を高くすることが出来る。このように、次数が低い回折光の回折効率が高い構成の場合、回折レンズ５の回折格子の格子深さが浅くすむため、この回折レンズ５を成型で作成する場合などに例えば金型の転写性や離型性が良いといった効果がある。また本発明の光ピックアップの構成の場合、光源１の光出力を高い効率で高密度ディスクＡ５０へ伝達できることから、無理に光源１の光出力を高めずとも、０次回折光が集光する高密度ディスクＡ５０上の集光スポットの光量を十分高めることが出来る。高密度ディスクＡ５０に記録を行うためには、再生を行うときと比較して高密度ディスクＡ５０上の集光スポットの光量が１０倍〜２０倍以上と高い光量が必要になる。しかし、もともと高密度ディスクＡ５０再生時の方が高密度ディスクＢ６０の再生時よりも光源１の光出力を低くしているため、高密度ディスクＡ５０に記録をする場合に再生時の数十倍の光量が必要であったとしても、光源１の光出力は十分確保できるものである。ここで、高密度ディスクＡ５０再生時の方が高密度ディスクＢ６０の再生時よりも光源１の光出力が高い場合には、高密度ディスクＡ５０への記録時に光源１は更に高い光出力が必要になり、光源１に大きな負担がかかる。即ち、本発明の光ピックアップの構成をとれば、光源１として用いる半導体レーザの光出力を効率よく使用でき、半導体レーザの寿命を長くすることや、光ピックアップの消費電力を低くできるといった効果がある。
【００４５】
また、光検出器９の受光部で受光された光は、一般的に電気信号に変換されて、その変換された電気信号は端子より出力される。本発明の光ピックアップの構成の場合、予めデータが記録されているＲＯＭディスクや追記型のＲディスクといった高密度ディスクＡ５０や高密度ディスクＢ６０を再生している場合と比較して、高密度ディスクＡ５０として書き換え型のＲＥディスクの２層ディスクを再生している場合は光検出器９の受光部に到達する復路の光束の光量が少ない。また、ＲＯＭディスクやＲディスクといった高密度ディスクＡ５０や高密度ディスクＢ６０を再生している場合と比較して、高密度ディスクＡ５０に記録を行う場合はその光検出器９上の受光部に到達する復路の光束の光量が多い。そこで、光検出器９は、図１０に示すように、その受光部９１で受光して変換された電気信号を、出力端子９２までの間でスイッチ９３と、切り替え式の増幅回路群を備えることが望ましい。このような構成とすると、例えば受光部へ到達する光量が少ないＲＥディスクの２層ディスクの再生時には、増幅率（利得）を高い回路９４に切替え、受光部へ到達する光量が多い高密度ディスクＡディスクへの記録時には、増幅率（利得）を低い回路９６に切替え、ＲディスクやＲＯＭディスクの再生時や高密度ディスクＢディスクの再生時には増幅率（利得）が前記２つの中間の回路９５に切り替えられる。従って、いずれのディスクに記録や再生を行う場合でも、光検出器９の信号出力端子９２から出力される電気信号の大きさは、一定の範囲内におさめられる。このような構成とすることで、光検出器９から出力された電気信号を受け、制御信号や再生信号を作り出す回路の、信号入力部の入力許容信号レベルの範囲を狭くすることが出来、より安定した信号の生成や、回路規模の縮小ができるといった効果がある。
【００４６】
一方高密度ディスクＡ５０および高密度ディスクＢ６０に対して、どちらも再生専用の光ピックアップとして回折レンズ５を用いる場合でも、高密度ディスクＡ５０を再生しているときよりも、高密度ディスクＢ６０を再生している時の方が、光源１から出射される光出力が大きい方が望ましい。このような構成とすると、回折レンズ５の＋１次回折効率よりも、０次回折効率を高くすることが出来る。この構成の場合でも、次数が低い回折光の回折効率が高い構成の場合、回折レンズ５の回折格子の格子深さが浅くすむため、回折レンズ５が作りやすいという効果がある。またこの構成の場合、高密度ディスクＡ５０として例えば、反射率が低い書き換え型のＲＥディスクを使用する場合でも、光源１から低い光量で出射された光束は、０次回折効率が高い回折レンズ５を透過して、高密度ディスクＡ５０の記録面上で信号を再生するのに十分な良の光出力を持ち、記録面上で低い反射率で反射した反射光も、その復路光学系において、高い効率（０次回折効率）で回折レンズ５を透過して、光検出器９で品質の高い信号への変換を行うことが出来る光量を受光することが出来るものである。高密度ディスクＡ５０として、ＲＯＭディスクや、Ｒディスクを使用するときは、ＲＥディスクよりも記録面上の反射率が高いため、当然光検出器９は、品質の高い信号への変換を行うことが出来る十分な光量を受光することができる。また、ＲＥディスクは一度記録したデータをハイパワーのレーザ照射により消去することができるディスクであるが、データが記録されたＲＥディスクを再生する場合に、記録面上のスポット光量を一定以上高くするとデータが劣化する可能性がある。ここでも、本発明の構成であれば、回折レンズ５は、復路光学系においても高い効率で透過することが出来るため、記録面上のスポット光量を無理に高めなくとも、十分に高い品質の再生信号を得るのに十分な光量を光検出器９で受光することが出来る。一方、高密度ディスクＢ６０としては、ＲＯＭディスクやＲディスクといった有る程度高い記録層の反射率を有するディスクに対応する場合、光源１から高い光量で出射された光束は、１次回折効率が低い回折レンズ５を透過しても、高密度ディスクＢ６０の記録層で高い光量を持ち、ディスクの記録層での反射光も高い光量を持ち、その復路光学系において低い効率（１次回折効率）で回折レンズ５を透過したとしても、品質の高い信号を得るのに十分な光量が光検出器９に到達することが出来る。即ち、本発明の光ピックアップの構成を取れば、再生を行う光ディスクとして、高密度ディスクＡ５０にＲＯＭディスクやＲディスク、ＲＥディスクのいかなるディスクを用いる場合においても、エラーの少ない高品質な再生が行えるといった効果がある。またＢＤ５０として、ＲＥディスクを使用する場合においても、記録面上に一定以上の再生光量を照射した場合に起こるようなデータの劣化を、抑制することができるといった効果もある。また、特に高密度ディスクＢとしてＲＯＭディスクにのみ対応する場合は、記録面上のスポット光量を一定以上高くしても、データの劣化はおきにくい構造のため、さらに品質の高い信号を得るために、復路光学系における回折レンズ５を透過する効率の低さを十分許容できる程度に、光源１の光出力を高めてやってもよい。
【００４７】
なお、本実施の形態１において、対物レンズ６を構成する材料はガラスであることが望ましい。このような構成の場合、青紫半導体レーザの照射によっても材料の透過率や、波面収差に乱れを起こすような、青紫光による材料の劣化が無く、信頼性の高い光ピックアップが構成できる物である。また、回折レンズ５を構成する材料も同様の理由から、ガラスであることが望ましいが、この回折レンズ５を通過する光束は集光された状態でないため、光束密度は対物レンズ６の光ディスク５０または６０に対向する面と比較すると低く、青紫光による劣化の影響が小さいため、樹脂材料を用いることもできる。樹脂材料を用いる場合はガラス材料を用いる場合と比較して、回折レンズ５の軽量化が出来る。例えば回折レンズ５を対物レンズ６と同一の対物レンズアクチュエータの可動子上に搭載する場合などに、可動部の重量が軽量化できるため、より高倍速で光ディスクにアクセスする場合に有利な構成となる。
【００４８】
また、一般に光ディスク記録再生装置において、半導体レーザは光ディスクからの戻り光により雑音を発生する。半導体レーザのスペクトルを拡げてコヒーレンスを低下させることで、この雑音を低減できるということはよく知られている。その方法の一つとして、半導体レーザの駆動電流に高周波を重畳してスペクトルを拡げる方法が、高出力レーザを使用する、記録型の光ディスク装置で多く用いられている。図９は、本実施の形態における、光源１である半導体レーザの波長スペクトルを示す概念図であり、横軸は波長、縦軸は光強度である。図９（Ａ）は、高周波重畳をかけない場合の一般的な青紫半導体レーザのスペクトルの様子でありほぼシングルモードであることが一般的である。これに高周波重畳をかけた場合のスペクトルが、図９（Ｂ）となり、スペクトルが拡がる。ここで、図９（Ｃ）は図９（Ａ）の青紫半導体レーザを、高出力発光させた場合で、高周波重畳をかけていない場合のスペクトルの様子である。この図９（Ｃ）では高周波重畳がかけられていないにもかかわらず、スペクトルが拡がっている。そのスペクトルの拡がりの様子は、低出力時に高周波重畳をかけた図９（Ｂ）と比較すると、なめらかではないが、単一波長モードと比較すれば、明らかにスペクトルが拡がっており、高周波重畳をかけた場合と同様の効果が期待できる物である。本実施の形態１の実験では、通常の高密度ディスクＡ５０を再生する光出力に対し、略５倍程度以上光出力を高めてやると、このような現象が見られた。図９（Ｃ）のように、高周波重畳をかけなくともそのスペクトルが拡がっているということは、高周波重畳をかけなくとも戻り光による雑音が低減できるということである。すなわち、本発明の構成を使用する光ピックアップにおいては、高密度ディスクＢ６０を再生する場合、無理に高周波重畳をかける必要がなく、光源１からの出射光に高周波を重畳する回路の動作を止めることが望ましい。このような構成とすると、不要な電磁波等の輻射を低減できるという、大きな効果がある。また、光出力を高めることで、半導体レーザ特有の量子雑音（ＲＩＮ）が低減できるといった効果もある。即ち、本発明の光ピックアップの構成は、半導体レーザの雑音低減の観点からも非常に有効な構成である。この効果は、高密度ディスクＡ５０が再生のみの構成であっても、記録可能な構成であっても、同等に効果を得られるものである。
【００４９】
また、図１９に示すように高密度ディスクＡ５０と高密度ディスクＢ６０に両対応した光ピックアップ３０と、ＤＶＤ７０とＣＤ８０に両対応した光ピックアップ１３０の光学系を同時に搭載し、４種類全てのディスクに対応する光ピックアップ２００を構成することも出来る。この場合、２つの集光レンズ群である回折レンズ５、対物レンズ６、回折レンズ１０５、対物レンズ１０６は同一のアクチュエータの可動子２０ａ上に搭載されているとよい。このような構成の場合、２つの対物レンズの間隔を小さく配置することが出来るので、光ピックアップ２００全体の小型化が図れるといった効果がある。なお、この構成において、ＤＶＤ７０とＣＤ８０に両対応した光ピックアップ１３０の光学系は図１９に示す構成の限りではなく、ＤＶＤ７０とＣＤ８０に両対応出来る光学系であればどのような構成であっても良く、その場合でも前述の高密度ディスクＡ５０を再生しているときよりも、高密度ディスクＢ６０を再生している時の方が、光源１から出射される光出力が大きくすることによって得られる効果は、同様に全て得られるということは明らかである。
【００５０】
（実施の形態２）
図５および図６は本発明の別の実施の形態における光ピックアップの概略構成図である。図５および図６において、実施の形態１と同一の構成要素については、同一の符号を付して、以下その説明を省略する。図５および図６において、１は青紫レーザ光を出射する光源、３はビームスプリッタ、４はコリメートレンズ、１６は回折格子一体型対物レンズ、８は検出レンズ、９はレーザ光を受光する光検出器であり、これらが光ピックアップ４０を構成している。また、５０は保護基板厚略０．１ｍｍの光ディスクである高密度ディスクＡであり、６０は保護基板厚０．６ｍｍの光ディスクである高密度ディスクＢである。
【００５１】
図５を用いて、高密度ディスクＡ５０に対して、情報の記録または再生を行う光ピックアップ４０の動作について述べる。光源１から出射された青紫レーザ光は、ビームスプリッタ３を透過し、コリメートレンズ４で略平行光に変換され、回折格子一体型対物レンズ１６によって、保護基板越しに高密度ディスクＡ５０の情報記録面に光スポットとして集光される。高密度ディスクＡ５０の情報記録面で反射した復路の青紫レーザ光は、往路と同じ光路で回折格子一体型対物レンズ１６、コリメートレンズ４を透過し、ビームスプリッタ３で反射され、検出レンズ８で所定の非点収差を与えられて、光検出器９に導かれ、情報信号およびサーボ信号を生成する。
【００５２】
次に図６を用いて、高密度ディスクＢ６０に対して、情報の記録または再生を行う場合の光ピックアップ４０の動作について述べる。光源１から出射された青紫レーザ光は、ビームスプリッタ３を透過し、コリメートレンズ４で略平行光に変換され、回折格子一体型対物レンズ１６で回折および集光され、保護基板越しに高密度ディスクＢ６０の情報記録面に光スポットとして集光される。高密度ディスクＢ６０の情報記録面で反射した復路の青紫レーザ光は、往路と同じ光路で回折格子一体型対物レンズ１６、コリメートレンズ４を通過し、ビームスプリッタ３で反射され、検出レンズ８で所定の非点収差を与えられて、光検出器９に導かれ、情報信号およびサーボ信号を生成する。
【００５３】
次に、回折格子一体型対物レンズ１６の機能について、図７〜図８を用いて詳細に説明する。回折格子一体型対物レンズ１６は、同心円状の格子パター１６ａが形成されており、その中心は回折格子一体型対物レンズ１６の光軸と一致している。また、格子パターン１６ａは回折格子一体型対物レンズ１６によって決まる開口よりも小さな径の中にだけ形成されている。従って格子パターン１６ａが形成されていない部分では回折が全く起こらない。
【００５４】
回折格子一体型対物レンズ１６の＋１次回折光の回折効率は１００％未満であり、透過光（０次回折光）も充分な強度を有するように設計されている。なお、回折格子一体型対物レンズ１６はブレーズ化することによって、０次回折光と＋１次回折光の光量和を大きくすることができ、光の利用効率を高くできる。回折格子一体型対物レンズ１６は、開口数ＮＡが０．８５で、図８（Ａ）に示すように、回折格子一体型対物レンズ１６を回折されずに透過したレーザ光（すなわち０次回折光）が入射したときに、保護基板厚約０．１ｍｍの高密度ディスクＡ５０上に回折限界の集光スポットを形成できるよう設計されている。一方、図８（Ｂ）に示すように、回折格子一体型対物レンズ１６で回折された＋１次回折光は高密度ディスクＢ６０上に集光される。ここで＋１次回折光は保護基板厚０．６ｍｍの高密度ディスクＢ６０上に回折限界の集光スポットを形成できるよう収差補正を施されている。
【００５５】
このように入射光の一部を回折する回折格子一体型対物レンズ１６よって異なる基板厚の光ディスク上にそれぞれ回折限界にまで集光される集光スポットを形成することができる２焦点レンズを実現できる。
【００５６】
ここで、高密度ディスクＢ６０に対しては再生のみを行い、高密度ディスクＡ５０に対しては記録および再生が可能な光ピックアップとして回折格子一体型対物レンズ１６を用いる場合は、高密度ディスクＡ５０を再生しているときよりも、高密度ディスクＢ６０を再生している時の方が、光源１から出射される光出力が大きい方が望ましい。このような構成とすると、回折格子一体型対物レンズ１６の＋１次回折効率よりも、０次回折効率を高くすることが出来る。従って、光源１の光出力を高い効率で高密度ディスクＡ５０へ伝達できることから、無理に光源１の光出力を高めずとも、０次回折光が集光する高密度ディスクＡ５０上の集光スポットの光量を十分高めることが出来る。高密度ディスクＡ５０に記録を行うためには、再生を行うときと比較して高密度ディスクＡ５０上の集光スポットの光量が１０倍〜２０倍以上と高い光量が必要になる。本発明の光ピックアップの構成によれば、もともと高密度ディスクＡ５０再生時の方が高密度ディスクＢ６０の再生時よりも光源１の光出力を低くしているため、高密度ディスクＡ５０に記録をする場合に再生時の数十倍の光量が必要であったとしても、光源１の光出力は十分確保できるものである。ここで、高密度ディスクＡ５０再生時の方が高密度ディスクＢ６０の再生時よりも光源１の光出力が高い場合には、高密度ディスクＡ５０への記録時に光源１は更に高い光出力が必要になり、光源１に大きな負担がかかる。即ち、本発明の光ピックアップの構成をとれば、光源１として用いる半導体レーザの光出力を無駄なく使用できる物であり、半導体レーザの寿命を長くすることや、光ピックアップの消費電力を低くできるといった効果がある。また、光検出器９の受光部で受光された光は、一般的に電気信号に変換されて、その変換された電気信号は端子より出力される。本発明の光ピックアップの構成の場合、高密度ディスクＡのＲＯＭディスクやＲディスクといった高密度ディスクＡ５０や高密度ディスクＢ６０を再生している場合と比較して、高密度ディスクＡ５０としてＲＥディスクの２層ディスクを再生している場合は光検出器９の受光部に到達する復路の光束の光量が少ない。また、ＲＯＭディスクやＲディスクといった高密度ディスクＡ５０や高密度ディスクＢ６０を再生している場合と比較して、高密度ディスクＡ５０に記録を行う場合はその光検出器９上の受光部に到達する復路の光束の光量が多い。そこで、実施の形態１で示した構成と同様に、光検出器９は図１０に示すように、その受光部９１で受光して変換された電気信号を、出力端子９２までの間にスイッチ９３と切り替え式の増幅回路群を備えることが望ましい。このような構成とすると、例えば受光部へ到達する光量が少ないＲＥディスクの２層ディスクの再生時には、増幅率（利得）を高い回路９４に切替え、受光部へ到達する光量が多い高密度ディスクＡディスクへの記録時には、増幅率（利得）を低い回路９６に切替え、ＲディスクやＲＯＭディスクの再生時や高密度ディスクＢディスクの再生時には増幅率（利得）が前記２つの中間の回路９５に切り替えられる。従って、いずれのディスクに記録や再生を行う場合でも、光検出器９の信号出力端子９２から出力される電気信号の大きさは、一定の範囲内におさめられる。このような構成とすることで、光検出器９から出力された電気信号を受け、制御信号や再生信号を作り出す回路の、信号入力部の入力許容信号レベルの範囲を狭くすることが出来、より安定した信号の生成や、回路規模の縮小ができるといった効果がある。
【００５７】
一方高密度ディスクＡ５０および高密度ディスクＢ６０に対して、どちらも再生専用の光ピックアップとして回折格子一体型対物レンズ１６を用いる場合でも、高密度ディスクＡ５０を再生しているときよりも、高密度ディスクＢ６０を再生している時の方が、光源１から出射される光出力が大きい方が望ましい。このような構成とすると、回折格子一体型対物レンズ１６の＋１次回折効率よりも、０次回折効率を高くすることが出来る。これにより、高密度ディスクＡ５０として例えば、反射率が低い書き換え型のＲＥディスクを使用する場合でも、光源１から低い光量で出射された光束は、０次回折効率が高い回折格子一体型対物レンズ１６を透過して、高密度ディスクＡ５０の記録面上で信号を再生するのに十分な良の光出力を持ち、記録面上で低い反射率で反射した反射光も、その復路光学系において、高い効率（０次回折効率）で回折格子一体型対物レンズ１６を透過して、光検出器９で品質の高い信号への変換を行うことが出来る光量を受光することが出来るものである。高密度ディスクＡ５０として、ＲＯＭディスクや、Ｒディスクを使用するときは、ＲＥディスクよりも記録面上の反射率が高いため、当然光検出器９は、品質の高い信号への変換を行うことが出来る十分な光量を受光することができる。また、ＲＥディスクは一度記録したデータをハイパワーのレーザ照射により消去することができるディスクであるが、データが記録されたＲＥディスクを再生する場合に、記録面上のスポット光量を一定以上高くするとデータが劣化する可能性がある。ここでも、本発明の構成であれば、回折格子一体型対物レンズ１６は、復路光学系においても高い効率で透過することが出来るため、記録面上のスポット光量を無理に高めなくとも、十分に高い品質の再生信号を得るのに十分な光量を光検出器９で受光することが出来る。一方、高密度ディスクＢ６０としては、ＲＯＭディスクやＲディスクといった有る程度高い記録層の反射率を有するディスクに対応する場合、光源１から高い光量で出射された光束は、１次回折効率が低い回折格子一体型対物レンズ１６を透過しても、高密度ディスクＢ６０の記録層で高い光量を持ち、ディスクの記録層での反射光も高い光量を持ち、その復路光学系において低い効率（１次回折効率）で回折格子一体型対物レンズ１６を透過したとしても、品質の高い信号を得るのに十分な光量が光検出器９に到達することが出来る。また、特に高密度ディスクＢとしてＲＯＭディスクにのみ対応させる場合には、記録面上のスポット光量を一定以上高くしても、データの劣化はおきにくい構造のため、さらに品質の高い信号を得るために、復路光学系における回折格子一体型対物レンズ１６を透過する効率を十分許容できる程度に、光源１の光出力を高めてやってもよい。
【００５８】
また、本実施の形態２においても、高密度ディスクＢ６０の再生時には、光源１の光出力は高密度ディスクＡ５０の再生時と比較して高出力であることから、実施の形態１で示した、高密度ディスクＢ６０の再生時に光源１からの出射光に高周波を重畳する回路の動作を止め、半導体レーザの雑音を低減できる効果も同様に得られる物である。
【００５９】
また、図２０に示すように高密度ディスクＡ５０と高密度ディスクＢ６０に両対応した光ピックアップ４０と、ＤＶＤ７０とＣＤ８０に両対応した光ピックアップ１３０の光学系を同時に搭載し、４種類全てのディスクに対応する光ピックアップ２１０を構成することも出来る。この場合、回折格子一体型対物レンズ１６、回折レンズ１０５、対物レンズ１０６は同一のアクチュエータの可動子２０ｂ上に搭載されているとよい。このような構成の場合、２つの対物レンズの間隔を小さく配置することが出来るので、光ピックアップ２１０全体の小型化が図れるといった効果がある。なお、この構成において、ＤＶＤ７０とＣＤ８０に両対応した光ピックアップ１３０の光学系は図２０に示す構成の限りではなく、ＤＶＤ７０とＣＤ８０に両対応出来る光学系であればどのような構成であっても良く、その場合でも前述の高密度ディスクＡ５０を再生しているときよりも、高密度ディスクＢ６０を再生している時の方が、光源１から出射される光出力が大きくすることによって得られる効果は、同様に全て得られるということは明らかである。
【００６０】
（実施の形態３）
図１１は本発明の一実施の形態における光ディスク装置の概略構成図である。
【００６１】
図１１において、４００は光ディスク装置を表しており、光ディスク装置４００の内部に光ディスク駆動部４０１、制御部４０２、光ピックアップ４０３を備える。また５０、６０、７０、８０は高密度ディスクＡや高密度ディスクＢ、ＤＶＤ７０あるいはＣＤ８０に交換可能である。
【００６２】
光ディスク駆動部４０１は高密度ディスクＡ５０（または高密度ディスクＢ６０、ＤＶＤ７０、ＣＤ８０）を回転駆動する機能を有し、光ピックアップ４０３は実施の形態１または実施の形態２で述べたいずれかの光ピックアップである。制御部４０２は光ディスク駆動部４０１と光ピックアップ４０３の駆動および制御を行う機能を有すると共に、光ピックアップ４０３で受光された制御信号、情報信号の信号処理を行う機能と、情報信号を光ディスク装置４００の外部と内部でインタフェースさせる機能を有する。
【００６３】
光ディスク装置４００は、実施の形態１または実施の形態２で述べたいずれかの光ピックアップを搭載しているので、本実施の形態における光ディスク装置４００は、複数の光源とそれらに対応する光ディスクを、それぞれ良好に記録または再生を行なうことができる。
【００６４】
（実施の形態４）
図１２は本発明の一実施の形態におけるコンピュータの概略構成図である。
【００６５】
図１２において、コンピュータ５００は、実施の形態３の光ディスク装置４００と、情報の入力を行うためのキーボードあるいはマウス、タッチパネルなどの入力装置５０１と、入力装置５０１から入力された情報や、光ディスク装置４００から読み出した情報などに基づいて演算を行う中央演算装置（ＣＰＵ）などの演算装置５０２と、演算装置５０２によって演算された結果などの情報を表示するブラウン管や液晶表示装置、プリンタなどの出力装置５０３を備える。
【００６６】
コンピュータ５００は、実施の形態３の光ディスク装置４００を備えるので、異なる種類の光ディスクを、それぞれ良好に記録または再生を行なうことができるため、広い用途に適用できる効果を有する。
【００６７】
（実施の形態５）
図１３は本発明の一実施の形態における光ディスクプレーヤの概略構成図である。
【００６８】
図１３において、光ディスクプレーヤ６００は、実施の形態３の光ディスク装置４００と、光ディスク装置４００から得られる情報信号を画像信号に変換する情報から画像への変換装置（例えばデコーダ６０１）を備える。
【００６９】
なお、本光ディスクプレーヤ６００は、ＧＰＳ等の位置センサーや中央演算装置（ＣＰＵ）を加えることによりカーナビゲーションシステムとしても利用可能である。また、また、液晶モニタなどの表示装置６０２を加えた形態も可能である。
【００７０】
光ディスクプレーヤ６００は、実施の形態３の光ディスク装置４００を備えるので、異なる種類の光ディスクを、それぞれ良好に記録または再生を行なうことができるため、広い用途に適用できる効果を有する。
【００７１】
（実施の形態６）
図１４は本発明の一実施の形態における光ディスクレコーダの概略構成図である。
【００７２】
図１４において、光ディスクレコーダ７００は、実施の形態３の光ディスク装置４００と、画像情報を光ディスク装置４００によって光ディスクへ記録する情報信号に変換する画像から情報への変換装置（例えばエンコーダ７０１）を備える。望ましくは、光ディスク装置４００から得られる情報信号を画像情報に変換する情報から画像への変換装置（デコーダ７０２）も備えることにより、記録した画像を再生することも可能となる。なお情報を表示するブラウン管や液晶表示装置、プリンタなどの出力装置７０３を備えてもよい。
【００７３】
光ディスクレコーダ７００は、実施の形態３の光ディスク装置４００を備えるので、異なる種類の光ディスクを、それぞれ良好に記録または再生を行なうことができるため、広い用途に適用できる効果を有する。
【産業上の利用可能性】
【００７４】
本発明の光ピックアップは、高密度ディスクＡと高密度ディスクＢのような２つの異なる高密度光ディスク、に対して、良好に記録または再生が可能である。また、光ピックアップの構成が簡単化され、生産性の向上が達成されるとともに、安価に光ディスク装置を提供できる。
【００７５】
また本発明の光ディスク装置を備えたコンピュータ、光ディスクプレーヤ、光ディスクレコーダは、異なる種類の光ディスクを、それぞれ良好に記録または再生を行なうことができるため、広い用途に適用できる効果を有する。
【図面の簡単な説明】
【００７６】
【図１】本発明の実施の形態１において、高密度ディスクＡを記録または再生する場合の光ピックアップの概略構成図
【図２】本発明の実施の形態１において、高密度ディスクＢを記録または再生する場合の光ピックアップの概略構成図
【図３】本発明の実施の形態１における、回折レンズの概略構成図
【図４】本発明の実施の形態１における、回折レンズと対物レンズの動作を模式的に示す図
【図５】本発明の実施の形態２において、高密度ディスクＡを記録または再生する場合の光ピックアップの概略構成図
【図６】本発明の実施の形態２において、高密度ディスクＢを記録または再生する場合の光ピックアップの概略構成図
【図７】本発明の実施の形態２における、回折格子一体型対物レンズの概略構成図
【図８】本発明の実施の形態１における、回折格子一体型対物レンズの動作を模式的に示す図
【図９】本発明の実施の形態１および２における、光源である半導体レーザの波長スペクトルを示す概念図
【図１０】本発明の実施の形態１および２における、光検出器内部の概略構成図
【図１１】本発明の実施の形態３における光ディスク装置の概略構成図
【図１２】本発明の実施の形態４におけるコンピュータの概略構成図
【図１３】本発明の実施の形態５における光ディスクプレーヤの概略構成図
【図１４】本発明の実施の形態６における光ディスクレコーダの概略構成図
【図１５】従来の互換性を有する光ピックアップを用いて、ＤＶＤを記録または再生する場合の概略構成図
【図１６】従来の互換性を有する光ピックアップを用いて、ＣＤを記録または再生する場合の概略構成図
【図１７】従来の別の光ピックアップにおける、回折レンズの概略構成図
【図１８】従来の別の光ピックアップにおける、回折レンズと対物レンズの動作を模式的に示す図
【図１９】本発明の実施の形態１において、４種類全てのディスクに対応する光ピックアップの概略構成図
【図２０】本発明の実施の形態２において、４種類全てのディスクに対応する光ピックアップの概略構成図
【符号の説明】
【００７７】
１    光源
３    ビームスプリッタ
４    コリメートレンズ
５    回折レンズ
６    対物レンズ
８    検出レンズ
９    光検出器
１６    回折格子一体型対物レンズ
２０ａ    対物レンズアクチュエータ上の可動子
２０ｂ    対物レンズアクチュエータ上の可動子
３０    光ピックアップ
４０    光ピックアップ
５０    高密度ディスクＡ
６０    高密度ディスクＢ
７０    ＤＶＤ
８０    ＣＤ
９１    受光部
９２    信号出力端子
９３    スイッチ
９４    高利得の信号増幅回路
９５    中利得の信号増幅回路
９６    低利得の信号増幅回路
１０１    ２波長光源
１０３    ビームスプリッタ
１０４    コリメートレンズ
１０５    回折レンズ
１０６    対物レンズ
１０８    検出レンズ
１０９    光検出器
１３０    光ピックアップ
２００    光ピックアップ
２１０    光ピックアップ
４００    光ディスク装置
４０１    光ディスク駆動部
４０２    制御部
４０３    光ピックアップ
５００    コンピュータ
５０１    入力装置
５０２    演算装置
５０３    出力装置
６００    光ディスクプレーヤ
６０１    デコーダ
６０２    表示装置
７００    光ディスクレコーダ
７０１    エンコーダ
７０２    デコーダ
７０３    出力装置
【図１】
2008217882.tif 000003
【図２】
2008217882.tif 000004
【図３】
2008217882.tif 000005
【図４】
2008217882.tif 000006
【図５】
2008217882.tif 000007
【図６】
2008217882.tif 000008
【図７】
2008217882.tif 000009
【図８】
2008217882.tif 000010
【図９】
2008217882.tif 000011
【図１０】
2008217882.tif 000012
【図１１】
2008217882.tif 000013
【図１２】
2008217882.tif 000014
【図１３】
2008217882.tif 000015
【図１４】
2008217882.tif 000016
【図１５】
2008217882.tif 000017
【図１６】
2008217882.tif 000018
【図１７】
2008217882.tif 000019
【図１８】
2008217882.tif 000020
【図１９】
2008217882.tif 000021
【図２０】
2008217882.tif 000022